(57)【特許請求の範囲】
【請求項１】
フード部を有するコネクタハウジングと、前記フード部に差し込まれて嵌合が生じる他のコネクタハウジングと、両ハウジング嵌合後の前記フード部の外壁を覆う筒形のカバーと、を備えるコネクタであって、
前記カバーは、ハウジング嵌合方向に沿って移動可能に設けられ且つ該カバーを前記両ハウジングの嵌合前の仮係止位置と嵌合時の本係止位置とに設定する係止手段によって位置決めされ、
前記コネクタハウジングと前記カバーの少なくとも一方には、前記両ハウジングの嵌合時に相手側の壁面に押圧力を持って当接するリブ突起が突設されていることを特徴とするコネクタ。
【請求項２】
請求項１記載のコネクタであって、
前記係止手段は、前記コネクタハウジングの外壁面に突出形成された突起と、
前記カバーの周壁に形成され前記突起が係入する係止穴と、からなることを特徴とするコネクタ。
【請求項３】
請求項２記載のコネクタであって、
前記突起は、ハウジング嵌合方向に沿って２個形成され、
前記係止穴は、前記２個の突起を両ハウジング嵌合状態に応じて順次係止する穴と、一つの突起のみ移動可能に案内する長穴と、からなることを特徴とするコネクタ。
【請求項４】
請求項２又は請求項３記載のコネクタであって、
前記係止穴が、前記カバーの周壁を片持ち梁状に形成した可撓腕に開口されることを特徴とするコネクタ。
【請求項５】
請求項１〜請求項４のいずれか１項に記載のコネクタであって、
前記リブ突起は、ハウジング嵌合方向に沿って延在し、
前記カバーの移動に伴って押圧力を増大させる方向に傾斜した傾斜面を有することを特徴とするコネクタ。
【請求項６】
請求項１〜請求項５のいずれか１項に記載のコネクタであって、
前記カバーは、前記コネクタハウジングよりも硬質の樹脂材料の成形品とされていることを特徴とするコネクタ。
【請求項７】
請求項１〜請求項６のいずれか１項に記載のコネクタであって、
前記カバーは、前記コネクタハウジングの端子挿入側より装着されることを特徴とするコネクタ。
【請求項８】
請求項１〜請求項７のいずれか１項に記載のコネクタであって、
前記カバーの内壁面には、半ロック時に前記ロックアームの移動空間に移動した該ロックアームに当接して進入が阻止され両ハウジングの半嵌合状態を検知するロック検知部が設けられていることを特徴とするコネクタ。
【請求項９】
請求項１〜請求項８のいずれか１項に記載のコネクタであって、
前記カバーには、端子接続したケーブルに外挿され前記コネクタハウジングの端子収容室に挿入されるゴム栓に押圧状態で当接するゴム栓押さえ部が設けられていることを特徴とするコネクタ。
【発明の詳細な説明】
【技術分野】
【０００１】
本発明は、両ハウジングを嵌合するコネクタに関する。
【背景技術】
【０００２】
コネクタでは、雌側ハウジングの外周とフード部の内周との間に、寸法公差や組付け公差を考慮してクリアランスを確保している。このため、雄側ハウジングが嵌合した状態において両ハウジングが僅かながらガタ付きを生じることは避けられない。このガタ付きは、端子金具間の微摺動摩耗の原因となる。
【０００３】
このような不具合を解消するものとして、例えば特許文献１に開示のコネクタがある。図１８に示すように、このコネクタ５００は、一方のハウジング５１３の筒状嵌合部５０１に、ロックアーム（図示せず）を左右両側から挟むように位置する一対の保護壁５０３を設け、他方のハウジング５１１のフード部５０５に、一対の保護壁５０３の内面に沿いつつロックアームと保護壁５０３との隙間に進入するリブ状突部５０７（進入部）を設け、保護壁５０３の内側面に、リブ状突部５０７の外側面に当接することで、フード部５０５と筒状嵌合部５０１の周方向への相対変位を規制する規制突部５０９を設けている。これにより、両ハウジング５１１，５１３の相対変位に起因する端子金具間における微摺動摩耗の防止を図ろうとしている。
【先行技術文献】
【特許文献】
【０００４】
【特許文献１】特開２００６−２４４３５号公報
【発明の概要】
【発明が解決しようとする課題】
【０００５】
しかしながら、フード部５０５の強度を確保して、両ハウジング５１１，５１３間の当接力を高めると、両ハウジング５１１，５１３間の嵌合力が上がってしまう問題があった。
【０００６】
本発明は上記状況に鑑みてなされたもので、その目的は、嵌合力を上げずに、端子間における微摺動摩耗を抑制できるコネクタを提供することにある。
【課題を解決するための手段】
【０００７】
本発明に係る上記目的は、下記構成により達成される。
（１）  フード部を有するコネクタハウジングと、前記フード部に差し込まれて嵌合が生じる他のコネクタハウジングと、両ハウジング嵌合後の前記フード部の外壁を覆う筒形のカバーと、を備えるコネクタであって、
前記カバーは、ハウジング嵌合方向に沿って移動可能に設けられ且つ該カバーを前記両ハウジングの嵌合前の仮係止位置と嵌合時の本係止位置とに設定する係止手段によって位置決めされ、
前記コネクタハウジングと前記カバーの少なくとも一方には、前記両ハウジングの嵌合時に相手側の壁面に押圧力を持って当接するリブ突起が突設されていることを特徴とするコネクタ。
【０００８】
このコネクタによれば、両ハウジングの嵌合前には、カバーを仮係止位置として、リブ突起による押圧力を生じさせないようにできる。これにより、押圧力の加えられていないコネクタハウジングに対して嵌合作業を行える。両ハウジングの嵌合後に、カバーを移動してリブ突起にて押圧力を加えることができる。
【０００９】
（２）  （１）のコネクタであって、
前記係止手段は、前記コネクタハウジングの外壁面に突出形成された突起と、
前記カバーの周壁に形成され前記突起が係入する係止穴と、からなることを特徴とするコネクタ。
【００１０】
このコネクタによれば、端子収容室の形成されるコネクタハウジング側に、凹部や係止穴を形成する必要がなく、コネクタハウジングの強度を確保し、肥大化を防止できる。
【００１１】
（３）  （２）のコネクタであって、
前記突起は、ハウジング嵌合方向に沿って２個形成され、
前記係止穴は、前記２個の突起を両ハウジング嵌合状態に応じて順次係止する穴と、一つの突起のみ移動可能に案内する長穴と、からなることを特徴とするコネクタ。
【００１２】
このコネクタによれば、コネクタハウジングの嵌合方向と、カバーの装着方向が一致する。つまり、カバーは、端子挿入側（ハウジング後部側）から装着される。カバーがコネクタハウジングに挿入されると、挿入先端側の穴が１個目の突起に係止し、カバーが仮係止位置に保持される。さらにカバーが挿入されると、挿入先端側の穴が１個目の突起から外れ、長穴が１個目の突起に係止する。さらにカバーが挿入されると、長穴が１個目の突起に摺動しながら、挿入先端側の穴が２個目の突起に係止し、カバーが本係止位置に保持される。
【００１３】
（４）  （２）又は（３）のコネクタであって、
前記係止穴が、前記カバーの周壁を片持ち梁状に形成した可撓腕に開口されることを特徴とするコネクタ。
【００１４】
このコネクタによれば、２つの係止穴を、２個の突起に対し、係止、係止解除、再係止と、簡素な構造、順次弾性変位動作可能に構成できる。
【００１５】
（５）  （１）〜（４）のいずれか１つのコネクタであって、
前記リブ突起は、ハウジング嵌合方向に沿って延在し、
前記カバーの移動に伴って押圧力を増大させる方向に傾斜した傾斜面を有することを特徴とするコネクタ。
【００１６】
このコネクタによれば、カバーの移動完了時に、最大押圧力とすることができる。換言すれば、移動未完時においても、小さな押圧力を発生させ、カバーのガタつきを抑制することが可能となる。
【００１７】
（６）  （１）〜（５）のいずれか１つのコネクタであって、
前記カバーは、前記コネクタハウジングよりも硬質の樹脂材料の成形品とされていることを特徴とするコネクタ。
【００１８】
このコネクタによれば、カバーがコネクタハウジングからの反力により変形することを防止でき、押圧力を確実に加えることができる。
【００１９】
（７）  （１）〜（６）のいずれか１つのコネクタであって、
前記カバーは、前記コネクタハウジングの端子挿入側より装着されることを特徴とするコネクタ。
【００２０】
このコネクタによれば、コネクタハウジングと同一長としたカバーであっても、仮係止位置ではコネクタハウジングの端子挿入側にカバーの未移動部位が配置される。これにより、逆方向から装着する構造に比べ、未移動部位が邪魔にならず、他のコネクタハウジングとの嵌合性を良好にできる。
【００２１】
（８）  （１）〜（７）のいずれか１つのコネクタであって、
前記カバーの内壁面には、半ロック時に前記ロックアームの移動空間に移動した該ロックアームに当接して進入が阻止され両ハウジングの半嵌合状態を検知するロック検知部が設けられていることを特徴とするコネクタ。
【００２２】
このコネクタによれば、ロックアームが未完全ロック状態では、変位したままのロックアームにてロック検知部の進入が阻止される。すなわち、ロック検知部の設けられたカバーが完全装着不能となる。これにより、半嵌合状態が検知される。
【００２３】
（９）  （１）〜（８）のいずれか１つのコネクタであって、
前記カバーには、端子接続したケーブルに外挿され前記コネクタハウジングの端子収容室に挿入されるゴム栓に押圧状態で当接するゴム栓押さえ部が設けられていることを特徴とするコネクタ。
【００２４】
このコネクタによれば、端子収容室内に挿入されたゴム栓の後面が、コネクタハウジングの端子挿入側から突出する。コネクタハウジングにカバーが装着されると、ゴム栓押さえ部が、端子収容室内から突出したゴム栓の後面に当接し、ゴム栓の脱落が規制される。
【発明の効果】
【００２５】
本発明に係るコネクタによれば、コネクタハウジングにカバーを移動可能に設け、コネクタハウジングとカバーの少なくとも一方に、両ハウジング嵌合時に相手側壁面に押圧力を持って当接するリブ突起を突設するので、嵌合後にカバーを移動してリブ突起にて押圧力を加えることが可能となる。これにより、嵌合力を上げずに、端子間における微摺動摩耗を抑制できる。
【図面の簡単な説明】
【００２６】
【図１】本発明に係るコネクタの分解斜視図である。
【図２】（ａ）はカバーが仮係止位置の図１に示したコネクタの斜視図、（ｂ）はカバーが本係止位置の斜視図である。
【図３】図１に示すコネクタの嵌合状態の背面図である。
【図４】（ａ）はカバーを後側から見た斜視図、（ｂ）はカバーの図３におけるＡ−Ａ断面図である。
【図５】（ａ）はカバーが仮係止位置のコネクタの図３におけるＡ−Ａ断面図、（ｂ）はカバーが本係止位置のコネクタの図３におけるＡ−Ａ断面図である。
【図６】（ａ）は他のコネクタハウジングが嵌合前の断面図、（ｂ）は他のコネクタハウジングが嵌合後の断面図、（ｃ）はカバーが本係止されたコネクタの断面図である。
【図７】カバーが本係止位置のコネクタの斜視図である。
【図８】他の構成に係るコネクタの分解斜視図である。
【図９】（ａ）はカバーが仮係止位置の図８に示したコネクタの斜視図、（ｂ）はカバーが本係止位置の斜視図である。
【図１０】図８に示すカバーを背面側から見た斜視図である。
【図１１】図８に示すコネクタの嵌合状態の背面図である。
【図１２】図１１のＢ−Ｂ断面図である。
【図１３】図１０に示すカバーの図１１におけるＣ−Ｃ断面図である。
【図１４】（ａ）はカバーが仮係止位置のコネクタの図１１におけるＣ−Ｃ断面図、（ｂ）はカバーが本係止位置のコネクタの図１１におけるＣ−Ｃ断面図である。
【図１５】（ａ）はカバーが仮係止位置のコネクタの図１１におけるＤ−Ｄ断面図、（ｂ）はカバーが本係止位置のコネクタの図１１におけるＤ−Ｄ断面図である。
【図１６】（ａ）は他のコネクタハウジングが嵌合前の図８に示すコネクタの断面図、（ｂ）は他のコネクタハウジングが嵌合後の断面図、（ｃ）はカバーが本係止されたコネクタの断面図である。
【図１７】カバーが本係止位置の図８に示すコネクタの斜視図である。
【図１８】従来のコネクタの断面図である。
【発明を実施するための形態】
【００２７】
以下、本発明の実施の形態を図面を参照して説明する。
図１は本発明に係るコネクタの分解斜視図である。
本実施の形態に係るコネクタ１００は、フード部１１を有するコネクタハウジング１３と、フード部１１に差し込まれて嵌合が生じる他のコネクタハウジング１５（図６参照）と、を有する。両ハウジング１３，１５は、樹脂材料（例えばＰＢＴ；ポリブチレンテレフタート等）により一体成形される。コネクタハウジング１３は、別体に形成した角筒形のカバー１７を装備する。カバー１７は、両ハウジング１３，１５嵌合後のフード部１１の外壁１９を覆う。なお、本明細書中、各コネクタハウジング１３，１５は、嵌合側を前、その反対側を後とする。また、各コネクタハウジング１３，１５の嵌合方向とは、後から前に向かう方向（図１の矢印ａ方向、図６の矢印ｂ方向）とする。
【００２８】
コネクタハウジング１３は、ハウジング本体２１が略直方体状に形成される。ハウジング本体２１の前部には嵌合部２３が嵌合方向ａに突設される。嵌合部２３とフード部１１には環状の嵌合空間１１ａが形成される。嵌合部２３の先端面には、他のコネクタハウジング１５の雄タブ（電気接触片）２５（図６参照）の進入する複数（図例では３つ）の受入孔２７が並設される。ハウジング本体２１には雌端子２９（図６参照）を収容する複数の端子収容室３１（図６参照）が形成され、端子収容室３１は前部が受入孔２７に連通し、後部が電線導出穴３３（図６参照）に連通する。雌端子２９は、コネクタハウジング１３の後部側から端子収容室３１に挿入されて装着される。
【００２９】
雌端子２９には電線３５が圧着される。雌端子２９は、端子収容室３１の弾性係止片（ランス）３７（図６参照）の係止にて離脱が規制される。離脱の規制された雌端子２９に接続される電線３５は、電線導出穴３３から外部へ導出される。電線導出穴３３内の電線３５には環状のゴム栓３７（図６参照）が外嵌される。ゴム栓３７は、電線３５と電線導出穴３３の間を気密・防水シールしている。
【００３０】
フード部１１は、前面が開口した筒状に形成され、後部がハウジング本体２１と一体に接続される。フード部１１の左右内壁にはガイド溝３８，３８が形成され、ガイド溝３８，３８は他のコネクタハウジング１５の両側面に突設されたガイド突起４２，４２（図７参照）と係合する。
【００３１】
ハウジング本体２１の上面には図１に示すロックアーム３９が一体に設けられる。ロックアーム３９は、一対の平行なアーム部４１，４１の基端がハウジング本体２１の前部に一体的に固定される。アーム部４１，４１の先端は、ハウジング本体２１の後部で相互に連結された操作部４３となる。ロックアーム３９は、操作部４３が押下可能に弾性変形する。アーム部４１，４１の間にはロックビーク（突起）４５（図１５参照）が設けられる。ロックアーム３９は、他のコネクタハウジング１５との嵌合が開始されると、他のコネクタハウジング１５の係止爪４７（図１５参照）の当接にてロックビーク４５が押下される。係止爪４７がロックビーク４５を通過した後、両ハウジング１３，１５が正規嵌合位置になると、ロックアーム３９が弾性復帰してロックビーク４５と係止爪４７が係止する。ロックアーム３９は、このようにして、嵌合時、他のコネクタハウジング１５と係止して、両ハウジング１３，１５を離脱不能にロックする。
【００３２】
図２（ａ）はカバーが後述する仮係止位置にある図１に示したコネクタの斜視図、（ｂ）はカバーが後述する本係止位置にあるコネクタの斜視図である。
カバー１７は、コネクタハウジング１３の後部側からコネクタハウジング１３に外挿され、ハウジング嵌合方向ａに沿って移動可能に設けられる。カバー１７とコネクタハウジング１３との間には係止手段４９が装備されている。係止手段４９は、カバー１７とコネクタハウジング１３を図２（ａ）に示す仮係止位置と、図２（ｂ）に示す本係止位置とに位置決めする。
【００３３】
係止手段４９は、コネクタハウジング１３の外壁１９に突出形成した突起５１と、カバー１７の周壁５３に形成され突起５１が係入する係止穴５５と、からなる。すなわち、突起５１は、コネクタハウジング１３側に設けられる。係止穴５５は、カバー１７側に設けられる。このような位置関係とすることで、端子収容室３１の形成されるコネクタハウジング１３側に、凹部や係止穴を形成する必要がなく、コネクタハウジング１３の強度を確保し、肥大化を防止している。
【００３４】
図１に示すように、突起５１は、ハウジング嵌合方向ａに沿う２個の突起５１ａ，５１ｂで形成されている。係止穴５５は、２個の突起５１ａ，５１ｂを両ハウジング嵌合状態に応じて順次係止する穴５５ｂと、一つの突起５１ａのみ移動可能に案内する長穴５５ａと、からなる。
【００３５】
係止穴５５は、カバー１７の両側における周壁５３を片持ち梁状に形成した可撓腕５７，５７に開口される。可撓腕５７は、周壁５３の前部から切り込まれる上下一対のスリット５９，５９に挟まれ、弾性変形により先端が周壁５３の内外方向に変位可能に形成される。係止穴５５を可撓腕５７に設けることで、２つの係止穴５５ａ，５５ｂを、２個の突起５１ａ，５１ｂに対し、係止、係止解除、再係止と、簡素な構造によって順次弾性変位動作可能に構成できる。
【００３６】
図３は図１に示すコネクタの嵌合状態の背面図、図４（ａ）はカバーを後側から見た斜視図、（ｂ）はカバーの図３におけるＡ−Ａ断面図、図５（ａ）はカバーが仮係止位置のコネクタの図３におけるＡ−Ａ断面図、（ｂ）はカバーが本係止位置のコネクタの図３におけるＡ−Ａ断面図である。
図１，図３に示すように、コネクタハウジング１３とカバー１７の少なくとも一方には、両ハウジング１３，１５の嵌合時に、相手側の壁面（コネクタハウジング１３の壁面、カバー１７の壁面）に押圧力を持って当接するリブ突起Ｈ，Ｃが突設されている。
【００３７】
本実施の形態では、カバー１７とコネクタハウジング１３の双方にリブ突起Ｈ，Ｃが設けられている。すなわち、図３，図４に示すように、カバー１７には、後側天井面の左右に２つのリブ突起Ｃ１，Ｃ２、後側内面に２つのリブ突起Ｃ３，Ｃ４、後側底面に３つのリブ突起Ｃ５，Ｃ６，Ｃ７が突設される。また、図１，図５に示すように、コネクタハウジング１３には、前側上部の左右に２つのリブ突起Ｈ１，Ｈ２、前側面に２つのリブ突起Ｈ３，Ｈ４、前側底部に３つのリブ突起Ｈ５，Ｈ６，Ｈ７が突設される。
【００３８】
これらハウジング側リブ突起Ｈ（Ｈ１，Ｈ２，Ｈ３，Ｈ４，Ｈ５，Ｈ６，Ｈ７）、カバー側リブ突起Ｃ（Ｃ１，Ｃ２，Ｃ３，Ｃ４，Ｃ５，Ｃ６，Ｃ７）は、ハウジング嵌合方向ａに沿って延在して形成される。ハウジング側リブ突起Ｈ、カバー側リブ突起Ｃは、カバー１７の本係止位置への移動に伴って押圧力を増大させる方向に傾斜した傾斜面６１，６３を有する。
【００３９】
傾斜面６１，６３は、図５（ａ）に示すカバー１７の仮係止位置において、他のコネクタハウジング１５の嵌合性に影響を及ぼさない程度で、相手側の壁面に当接してもよい。ハウジング側リブ突起Ｈ、カバー側リブ突起Ｃは、図５（ｂ）に示すカバー１７の移動完了時に、最大押圧力とすることができる。換言すれば、移動未完時（仮係止位置）においても、小さな押圧力を発生させ、カバー１７のガタつきを抑制するものであってもよい。
【００４０】
次に、上記構成を有するコネクタ１００の作用を説明する。
図６（ａ）は他のコネクタハウジングが嵌合前の断面図、（ｂ）は他のコネクタハウジングが嵌合後の断面図、（ｃ）はカバーが本係止されたコネクタの断面図、図７はカバーが本係止位置のコネクタの斜視図である。
コネクタ１００の嵌合には、コネクタハウジング１３にカバー１７を装着する。カバー１７の装着方向は、コネクタハウジング１３の嵌合方向と一致する。つまり、カバー１７は、端子挿入側（ハウジング後部側）から装着される。
【００４１】
カバー１７がコネクタハウジング１３に挿入されると、図２（ａ）に示すように、挿入先端側の係止穴５５ｂが１個目の突起５１ａに係止し、カバー１７が仮係止位置に保持される。仮係止位置ではリブ突起Ｈ，Ｃが当接しないので、フード部１１の強度は向上しない。この状態で、図６（ａ）に示すように、コネクタハウジング１３の前部に、他のコネクタハウジング１５を挿入する。図６（ｂ）に示すように、コネクタハウジング１３と他のコネクタハウジング１５の嵌合が完了すると、雌端子２９の弾性接触片（図示せず）と雄タブ２５が接触する。
【００４２】
次いで、図６（ｃ）に示すように、カバー１７をコネクタハウジング１３の前部側へスライドする。カバー１７がスライドされると、挿入先端側の係止穴５５ｂが１個目の突起５１ａから外れ、長穴５５ａが１個目の突起５１ａに係止する。さらにカバー１７が挿入されると、長穴５５ａが１個目の突起５１ａに摺動しながら、挿入先端側の係止穴５５ｂが２個目の突起５１ｂに係止する。
【００４３】
このとき、コネクタハウジング１３とカバー１７の双方に設けられたハウジング側リブ突起Ｈ１，Ｈ２，Ｈ３，Ｈ４，Ｈ５，Ｈ６，Ｈ７、カバー側リブ突起Ｃ１，Ｃ２，Ｃ３，Ｃ４，Ｃ５，Ｃ６，Ｃ７は、傾斜面６１，６３が相手側の壁面との間に進入する。進入が進むに伴って、ハウジング側リブ突起Ｈ１，Ｈ２，Ｈ３，Ｈ４，Ｈ５，Ｈ６，Ｈ７、カバー側リブ突起Ｃ１，Ｃ２，Ｃ３，Ｃ４，Ｃ５，Ｃ６，Ｃ７の本体部分が、相手側の壁面との間に進入する。
【００４４】
これにより、フード部１１は、内方空間を収縮させる方向に変形する。フード部１１が嵌合空間１１ａを収縮させる方向ｃ（図７参照）に変形すると、他のコネクタハウジング１５とのクリアランスが小さくなる。このクリアランスを小さくすることにより、コネクタハウジング１３と他のコネクタハウジング１５の相対変位が抑制される。その結果、両ハウジング１３，１５の相対変位に起因する雌端子２９、雄タブ２５間における微摺動摩耗が防止されることになる。
【００４５】
このように、コネクタ１００では、両ハウジング１３，１５の嵌合前には、カバー１７を仮係止位置として、カバー側リブ突起Ｃ、ハウジング側リブ突起Ｈによる押圧力を生じさせないようにできる。これにより、押圧力の加えられていないコネクタハウジング１３に対して嵌合作業を行える。そして、両ハウジング１３，１５の嵌合後に、カバー１７を移動してリブ突起Ｈ，Ｃにて押圧力を加えることができる。
【００４６】
次に、本発明に係るコネクタの他の構成を説明する。
図８は他の構成に係るコネクタの分解斜視図である。なお、図１〜図７に示した部材と同等の部材には同一の符号を付し、重複する説明は省略する。
他の構成に係るコネクタ１００Ａは、コネクタハウジング１３と他のコネクタハウジング１５とが上記コネクタ１００と同一である。カバー１７Ａのみがコネクタ１００と異なる。
【００４７】
図９（ａ）はカバーが仮係止位置の図８に示したコネクタの斜視図、（ｂ）はカバーが本係止位置の斜視図である。
カバー１７Ａは、コネクタハウジング１３の後部側からコネクタハウジング１３に外挿され、ハウジング嵌合方向ａに沿って移動可能に設けられる。カバー１７Ａとコネクタハウジング１３との間には上記同様の係止手段４９が装備されている。
【００４８】
また、このカバー１７Ａには、ロックアーム３９の開口部を表出させる切欠部８０が形成される。切欠部８０は、ロックアーム３９のロック操作を可能にしている。
【００４９】
図１０は図８に示すカバーを背面側から見た斜視図、図１１は図８に示すコネクタの嵌合状態の背面図、図１２は図１１のＢ−Ｂ断面図、図１３は図１０に示すカバーの図１１におけるＣ−Ｃ断面図、図１４（ａ）はカバーが仮係止位置のコネクタの図１１におけるＣ−Ｃ断面図、（ｂ）はカバーが本係止位置のコネクタの図１１におけるＣ−Ｃ断面図、図１５（ａ）はカバーが仮係止位置のコネクタの図１１におけるＤ−Ｄ断面図、（ｂ）はカバーが本係止位置のコネクタの図１１におけるＤ−Ｄ断面図である。
図８，図９，図１０に示すように、カバー１７Ａの一方の周壁５３の後部には、薄肉ヒンジ７１を介してゴム栓押さえ部７３が一体に成形される。
【００５０】
ゴム栓押さえ部７３は、基端がヒンジ７１を介して周壁５３に接続し、先端がヒンジ７１を中心にコネクタハウジング１３の端子挿入側に回動自在となっている。ゴム栓押さえ部７３は、先端の開放したＵ字状の支持間隙７５を有する。ゴム栓押さえ部７３の先端には爪部７７が形成され、爪部７７はカバー１７Ａの他方の周壁５３に形成された図１０に示す係止窓７９に係止する。爪部７７を係止窓７９に係止してコネクタハウジング１３の端子挿入側と平行に配置されたゴム栓押さえ部７３は、図１１に示すように、支持間隙７５が端子収容室３１の電線導出穴３３と一致する。
【００５１】
図１２に示すように、電線導出穴３３に挿入されたゴム栓３７は、後面が、コネクタハウジング１３の端子挿入側から突出する。カバー１７Ａが本係止位置にスライドされた後、ゴム栓押さえ部７３の爪部７７が係止窓７９に係止すると、ゴム栓３７の後面に、ゴム栓押さえ部７３が当接する。これにより、ゴム栓３７の脱落が規制されるようになっている。
【００５２】
図１１，図１３に示すように、カバー１７Ａには、カバー１７と同様のカバー側リブ突起Ｃ１，Ｃ２，Ｃ３，Ｃ４，Ｃ５，Ｃ６，Ｃ７が設けられている。リブ突起Ｈ，Ｃは、上記同様に、図１４（ａ）に示すカバー１７Ａの仮係止位置において、他のコネクタハウジング１５（図６参照）の嵌合性に影響を及ぼさない程度で、相手側の壁面に当接してもよい。ハウジング側リブ突起Ｈ、カバー側リブ突起Ｃは、図１４（ｂ）に示すカバー１７の移動完了時に、最大押圧力となる。
【００５３】
また、カバー１７Ａの内壁面８１の後部には、梁状のロック検知部８３が形成されている。ロック検知部８３は、半ロック時にロックアーム３９の図１５に示す移動空間８５に移動したロックアーム３９に当接する。より正確には、アーム部４１の側面に設けた当接突起８７に当接する。ロック検知部８３は、当接突起８７に当接して進入が阻止されることで、両ハウジング１３，１５の半嵌合状態を検知する。
【００５４】
本構成では、他のコネクタハウジング１５が挿入されると、ロックビーク４５が押下され、ロックアーム３９の操作部４３が下方向（コネクタハウジング１３に接近する方向）に移動される。これに伴って下方向（図１５の矢印ｄ方向）に移動される当接突起８７にて、ロック検知部８３の進入が阻止される。なお、ロックアーム３９は、他のコネクタハウジング１５の挿入によって、押し上げられるものであってもよい。この場合には、上側となる移動空間（図示せず）に挿入されるように、ロック検知部８３を配置すればよい。
【００５５】
このように、ロックアーム３９が未完全ロック状態では、変位したままのロックアーム３９の当接突起８７にてロック検知部８３の進入が阻止される。すなわち、ロック検知部８３の設けられたカバー１７Ａが完全装着不能となる。これにより、半嵌合状態が検知される。
【００５６】
次に、上記構成を有するコネクタ１００Ａの作用を説明する。
図１６（ａ）は他のコネクタハウジングが嵌合前の図８に示すコネクタの断面図、（ｂ）は他のコネクタハウジングが嵌合後の断面図、（ｃ）はカバーが本係止されたコネクタの断面図、図１７はカバーが本係止位置の図８に示すコネクタの斜視図である。
コネクタ１００Ａの嵌合には、コネクタハウジング１３にカバー１７Ａを装着する。カバー１７Ａがコネクタハウジング１３に挿入されると、挿入先端側の係止穴５５ｂが１個目の突起５１ａに係止し、カバー１７Ａが仮係止位置に保持される。仮係止位置ではリブ突起Ｈ，Ｃが当接しないので、フード部１１の強度は向上しない。
【００５７】
この状態で、図１６（ａ）に示すように、コネクタハウジング１３の前部に、他のコネクタハウジング１５を挿入する。図１６（ｂ）に示すように、コネクタハウジング１３と他のコネクタハウジング１５の嵌合が完了すると、雌端子２９の弾性接触片（図示せず）と雄タブ２５が接触する。
【００５８】
次いで、図１６（ｃ）に示すように、カバー１７Ａをコネクタハウジング１３の前部側へスライドする。カバー１７Ａがスライドされると、挿入先端側の係止穴５５ｂが１個目の突起５１ａから外れ、長穴５５ａが１個目の突起５１ａに係止する。さらにカバー１７Ａが挿入されると、長穴５５ａが１個目の突起５１ａに摺動しながら、挿入先端側の係止穴５５ｂが２個目の突起５１ｂに係止する。
【００５９】
このとき、コネクタハウジング１３とカバー１７Ａの双方に設けられたハウジング側リブ突起Ｈ１，Ｈ２，Ｈ３，Ｈ４，Ｈ５，Ｈ６，Ｈ７、カバー側リブ突起Ｃ１，Ｃ２，Ｃ３，Ｃ４，Ｃ５，Ｃ６，Ｃ７は、先の実施の形態で述べたと同様、傾斜面６１，６３が相手側の壁面との間に進入する。進入が進むに伴って、ハウジング側リブ突起Ｈ１，Ｈ２，Ｈ３，Ｈ４，Ｈ５，Ｈ６，Ｈ７、カバー側リブ突起Ｃ１，Ｃ２，Ｃ３，Ｃ４，Ｃ５，Ｃ６，Ｃ７の本体部分が、相手側の壁面との間に進入する。
【００６０】
これにより、フード部１１は、内方空間を収縮させる方向に変形する。フード部１１が嵌合空間１１ａを収縮させる方向ｃ（図１７参照）に変形すると、他のコネクタハウジング１５とのクリアランスが小さくなる。このクリアランスを小さくすることにより、コネクタハウジング１３と他のコネクタハウジング１５の相対変位が抑制される。切欠部８０によりカバー１７Ａでロックアーム３９の開口を覆えない構造であっても、フード部１１の強度が向上する。その結果、両ハウジング１３，１５の相対変位に起因する雌端子２９、雄タブ２５間における微摺動摩耗が防止される。
【００６１】
このように、コネクタ１００Ａでは、両ハウジング１３，１５の嵌合前には、カバー１７を仮係止位置として、カバー側リブ突起Ｃ、ハウジング側リブ突起Ｈによる押圧力を生じさせないようにできる。これにより、押圧力の加えられていないコネクタハウジング１３に対して嵌合作業を行える。両ハウジング１３，１５の嵌合後に、カバー１７Ａを移動してリブ突起Ｈ，Ｃにて押圧力を加えることができる。
【００６２】
カバー１７Ａを本係止位置とした後、ゴム栓押さえ部７３をヒンジ７１にて回転し、爪部７７を係止窓７９に係止する。これにより、電線導出穴３３から突出するゴム栓３７の後面がゴム栓押さえ部７３に押さえられ、ゴム栓３７の離脱が防止される。
【００６３】
上記各構成のコネクタ１００，１００Ａにおいて、カバー１７，１７Ａは、コネクタハウジング１３よりも硬質の樹脂材料の成形品とすることが好ましい。硬質の樹脂材料としては、例えば繊維強化プラスチックとすることができる。繊維強化プラスチックは、ガラス繊維等の繊維で強化された樹脂であり、具体的には、熱安定性や機械的特性（強度）の点で優れているＰＢＴ−Ｇ（ポリプチレンテレフタレート  ガラス入り）、ＳＰＳ−Ｇ（シンジオタクチックポリスチレン  ガラス入り）等が好適に使用できる。このような硬質の樹脂材料をカバー１７，１７Ａに用いることで、カバー１７，１７Ａがコネクタハウジング１３からの反力により変形することを防止でき、押圧力をより確実に加えることができる。
【００６４】
また、コネクタ１００，１００Ａでは、カバー１７，１７Ａがコネクタハウジング１３の端子挿入側より装着される構成とすることにより、コネクタハウジング１３と同一長としたカバー１７，１７Ａであっても、仮係止位置ではコネクタハウジング１３の端子挿入側にカバー１７，１７Ａの未移動部位が配置される。これにより、逆方向から装着する構造に比べ、未移動部位が邪魔にならず、他のコネクタハウジング１５との嵌合性を良好にできる。
【００６５】
したがって、本実施の形態に係るコネクタ１００，１００Ａによれば、コネクタハウジング１３にカバー１７，１７Ａを移動可能に設け、コネクタハウジング１３とカバー１７，１７Ａの少なくとも一方に、両ハウジング嵌合時に相手側壁面に押圧力を持って当接するリブ突起Ｈ，Ｃを突設するので、嵌合後にカバー１７，１７Ａを移動してリブ突起Ｈ，Ｃにて押圧力を加えることが可能となる。これにより、嵌合力を上げずに、雌端子２９と雄タブ２５間における微摺動摩耗を抑制できる。
【符号の説明】
【００６６】
１１  フード部
１３  コネクタハウジング
１５  他のコネクタハウジング
１７、１７Ａ  カバー
１９  フード部の外壁
３１  端子収容室
３５  電線（ケーブル）
３７  ゴム栓
４９  係止手段
５１  突起
５３  カバーの周壁
５５  係止穴
５５ａ  長穴
５７  可撓腕
６１，６３  傾斜面
７３  ゴム栓押さえ部
８３  ロック検知部
８５  ロックアームの移動空間
１００、１００Ａ  コネクタ
Ｈ，Ｃ  リブ突起
ａ  ハウジング嵌合方向
【図１】
0005398464.tif 000002
【図２】
0005398464.tif 000003
【図３】
0005398464.tif 000004
【図４】
0005398464.tif 000005
【図５】
0005398464.tif 000006
【図６】
0005398464.tif 000007
【図７】
0005398464.tif 000008
【図８】
0005398464.tif 000009
【図９】
0005398464.tif 000010
【図１０】
0005398464.tif 000011
【図１１】
0005398464.tif 000012
【図１２】
0005398464.tif 000013
【図１３】
0005398464.tif 000014
【図１４】
0005398464.tif 000015
【図１５】
0005398464.tif 000016
【図１６】
0005398464.tif 000017
【図１７】
0005398464.tif 000018
【図１８】
0005398464.tif 000019